(57)【要約】【課題】  従来の技術は、モータに対する磁性材のカバーがモータに対して一定の被覆の状態に固定している構造である。  発明が解決しようとする課題は、この被覆の状態を簡単な構造で可変する構造により、モータの回転をいかに変動させるかにある。【解決手段】  モータ１の外側を覆うように湾曲した鉄板等の磁性材カバー２でモータの外側を被覆するモータにおいて、磁性材カバーにモータに対する被覆度可変装置を設けてモータの外側を磁性材カバーで被覆する度合いを変更することを特徴とするモータの変速装置をもって課題を解決する手段として提供する。【選択図】図１
2006223084.tif 000002
【特許請求の範囲】
【請求項１】
モータ（１）の外側を覆う鉄板等の磁性材カバー（２）でモータの外側を被覆するモータにおいて、磁性材カバーにモータに対する被覆度可変装置を設けてモータの外側を磁性材カバーで被覆する度合いを変更することを特徴とするモータの変速装置。
【請求項２】
鉄板等の磁性材カバー（２）をコの字型に成型することを特徴とする請求項１のモータの変速装置。
【請求項３】
被覆度可変装置として、形状記憶合金（３）を使用することを特徴とする請求項１のモータの変速装置。
【請求項４】
並列するコの字型の磁性材カバー（２）を個々に並行して移動可能に複数個成型し、温度変化の異なる個々の形状記憶合金（３）を成型して該磁性材カバーに設置することを特徴とする請求項１、請求項２、請求項３のモータの変速装置。
【請求項５】
変速装置をファン（４）の回転に連動させることを特徴とする請求項１、請求項２、請求項３、請求項４のモータの変速装置。
【発明の詳細な説明】
【技術分野】
【０００１】  本発明は、モータの変速装置に関する。
【背景技術】
【０００２】  従来、固定子の外周を樹脂モールドで覆う電動機において、樹脂モールド層の外周を鉄板で覆ったことによって、電動機の固定子から発生して樹脂モールド層を越えて外周へ拡散する磁束を外周を覆った鉄板によって遮蔽し騒音振動を押さえる技術が知られている。（例えば特許文献１参照）【０００３】  従来、レジンモータの外側を鉄板等の磁性材からなるカバーで被覆したことにより、レジンモータの回転時、このレジンモータから発生する磁界をその外側を被覆する磁性材からなるカバーを通り、その外側に漏れ出ることをなくし、磁気振動音を阻止する技術が知られている。（例えば特許文献２参照）【０００４】  また、モータ外面を覆うように配置されるモータ用シールドチューブにおいて、前記モータ用シールドチューブを、硫黄添加快削鋼材で形成することにより、モータの動作に伴って発生する電磁波ノイズの漏出を防止する技術が知られている。（例えば特許文献３参照）【０００５】
【特許文献１】  特開昭６３−２２４６４２号公報
【特許文献２】  実開平１−９３９４３号公報
【特許文献３】  特開平１１−２７５７９５号公報
【発明の開示】
【発明が解決しようとする課題】
【０００６】  従来の特許文献１、特許文献２、特許文献３における技術のモータに対する磁性材のカバーは、被覆のしかたがモータに対して一定の被覆の状態に固定している構造である。
発明が解決しようとする課題は、この被覆の状態を簡単な構造で可変する構造により、モータの回転をいかに変動させるかにある。
本発明が解決しようとする課題は、以上のような問題点をなくすことである。
【課題を解決するための手段】
【０００７】  モータの外側を覆うように湾曲した鉄板等の磁性材カバーでモータの外側を被覆するモータにおいて、磁性材カバーにモータに対する被覆度可変装置を設けてモータの外側を磁性材カバーで被覆する度合いを変更することを特徴とするモータの変速装置を課題を解決するための手段として提供する。
【発明の効果】
【０００８】  本発明の効果について説明する。
モータの外側を覆うように湾曲した鉄板等の磁性材カバーでモータの外側を被覆するモータにおいて、磁性材カバーにモータに対する被覆度合可変装置を設けてモータの外側を磁性材カバーで被覆する度合いを変更することによって、モータの回転から発生する磁力線を制御し、磁性材カバーの被覆割合の少ない時は、高速でモータが回転し、被覆割合の大きい時は減速して回転するように、モータの回転速度を簡単な構造で変速する効果がある。
【発明の実施するための最良の形態】
【０００９】  本発明のモータの変速装置を実施するための最良の形態は、モータの外側を覆うように湾曲した鉄板等の磁性材カバーでモータの外側を被覆するモータにおいて、磁性材カバーにモータに対する被覆度可変装置を設けてモータの外側を磁性材カバーで被覆する度合いを変更することを最良の形態とする。
【実施例１】
【００１０】  本発明の実施例を図に基づいて説明する。
図２、図３、図４は、モータの外側を覆うように湾曲した鉄板等の磁性材カバーをコの字型に成型することを特徴とするモータの変速装置の実験実施例である。
図において、モータは固定子が樹脂モールド層で覆われており、樹脂モールド層でフレームが形成されると共に回転子の軸が延出されている。
図２は、モータの外側を覆うように湾曲した鉄板等の磁性材カバーをモータの上部に可動長の全長を引き上げ被覆状態を最小にした状態を示す。モータの回転に伴って周囲に発生した磁力線は、コの字状鉄板の存在に関係せず、モータの回転は所定の回転速度で回転する。
図３は、モータの外側を覆うように湾曲した鉄板等の磁性材カバーをモータの上部に可動長の中間に引き上げ中間の被覆状態を示す。モータの回転に伴って周囲に発生した磁力線は、コの字状鉄板の両側板に一部遮られて鉄板を迂回し、モーターの回転は少し遅くなる。
図４は、モータの外側を覆うように湾曲した鉄板等の磁性材カバーをモータの被覆状態を最大にした状態を示す。モータの回転に伴って周囲に発生した磁力線は、コの字状鉄板の両側板に遮られて鉄板を迂回し、モータの回転は遅くなる。【００１１】
【表１】
2006223084.tif 000003
【実施例２】
【００１２】  図１は、被覆度合可変装置として、温度の変化に対応する形状記憶合金３をモータ１と磁性材カバー２の間に設置し、温度の変化によって磁性材カバーの被覆度合いを可変することを特徴とするモータの変速装置の実施例である。
【実施例３】
【００１３】  並列するコの字型の磁性材カバー２を個々に並行して移動可能に複数個成型し、温度変化の異なる個々の形状記憶合金３を成型して該磁性材カバーに設置して、個々の磁性材カバーのモータに対する被覆度の割合を変化させることを特徴とするモータの変速装置の実施例である。
【実施例４】
【００１４】  図５は、室内の温度の変化に対応する形状記憶合金を被覆度可変装置として利用する変速装置を備えたモータを照明器具５の上のファン４の回転に連動させることを特徴とする実施例である。
【産業上の利用可能性】
【００１５】  磁性材カバーの被覆度合いを変えるという簡単な方法で、モータの回転速度を変更することに産業上の利用の可能性がある。
【図面の簡単な説明】
【００１６】
【図１】本発明に形状記憶合金を使用した実施例の斜視図である。（実施例２）
【図２】本発明の実験の最小被覆状態を示す斜視図である。（実施例１）
【図３】本発明の実験の中間被覆状態を示す斜視図である。（実施例１）
【図４】本発明の実験の最大被覆状態を示す斜視図である。（実施例１）
【図５】本発明にファンを取り付けた実施例の斜視図である。（実施例４）
【符号の説明】
【００１７】１  モータ
２  磁性材カバー
３  形状記憶合金
４  ファン
５  照明器具
【図１】
2006223084.tif 000004
【図２】
2006223084.tif 000005
【図３】
2006223084.tif 000006
【図４】
2006223084.tif 000007
【図５】
2006223084.tif 000008